(57)【要約】【課題】  ユーザによる原稿の取り忘れを効果的に防止できる画像形成装置を提供する。【解決手段】  原稿を読み取る読み取り手段２００と、読み取り手段により読み取られた原稿が当該読み取り手段から除去された状態、又は、除去されたと見なせる状態を認識する認識手段１８０と、認識手段１８０にて認識された状態により画像形成後の記録媒体の排出を制御する排出手段３６とを備える。排出手段は、記録媒体の排出後に、認識手段より原稿の除去が認識されない場合、記録媒体の一部を画像形成装置内に保持した状態で記録媒体の排出を停止する。【選択図】        図１
2010066698.tif 000002
【特許請求の範囲】
【請求項１】
原稿を読み取り、記録媒体上に画像を形成する画像形成装置において、
原稿を読み取る読み取り手段と、
前記読み取り手段により読み取られた原稿が当該読み取り手段から除去された状態、又は、除去されたと見なせる状態を認識する認識手段と、
前記認識手段にて認識された状態により画像形成後の記録媒体の排出を制御する排出手段と
を備えることを特徴とする画像形成装置。
【請求項２】
前記排出手段は、前記記録媒体の排出後に、前記認識手段より原稿の除去が認識されない場合、前記記録媒体の一部を前記画像形成装置内に保持した状態で前記記録媒体の排出を停止することを特徴とする請求項１に記載の画像形成装置。
【請求項３】
前記記録媒体の排出後に、前記認識手段により原稿の除去が認識されない場合に、除去されていない原稿についての所定の通知を行う通知手段を備えることを特徴とする請求項１又は請求項２に記載の画像形成装置。
【請求項４】
前記通知手段は、前記排出手段により前記記録媒体の排出状態が変わった場合に、排出状態が変わった原因についての所定の通知を行うことを特徴とする請求項３に記載の画像形成装置。
【請求項５】
前記通知手段は、前記読み取り手段により原稿を読み取る場合に、前記排出手段により前記記録媒体の排出状態が変わる旨についての所定の通知を行うことを特徴とする請求項３又は請求項４に記載の画像形成装置。
【請求項６】
前記排出手段は、前記記録媒体の排出後に、前記認識手段により原稿の除去が認識されない場合に、前記画像形成装置内に一部保持された前記記録媒体の抜き取りをロックするロック手段を備えることを特徴とする請求項２から請求項５までの何れかに記載の画像形成装置。
【請求項７】
前記ロック手段は、前記記録媒体の引っ張り強度に応じてロック強度を可変とすることを特徴とする請求項６に記載の画像形成装置。
【請求項８】
原稿を読み取り、記録媒体上に画像を形成する画像形成装置において、
原稿を読み取る読み取り手段と、
前記読み取り手段により読み取られた原稿が当該読み取り手段から除去された状態、又は、除去されたと見なせる状態を認識する認識手段と、
画像形成された前記記録媒体を排出する排出手段と、
画像形成された前記記録媒体の排出後に、前記認識手段により原稿の除去が認識されない場合に、除去されていない原稿についての所定の通知を前記記録媒体上に画像形成し、前記排出手段に供給する通知手段と
を備えることを特徴とする画像形成装置。
【請求項９】
原稿を読み取り、記録媒体上に画像を形成する画像形成装置において、
原稿を読み取る読み取り手段と、
前記読み取り手段により読み取られた原稿が当該読み取り手段から除去された状態、または、除去されたと見なせる状態を認識する認識手段と、
画像形成された前記記録媒体を排出する排出手段と、
画像形成された前記記録媒体の排出後に、前記認識手段で原稿の除去が認識されない場合に、除去されていない原稿についての所定の通知が記録された媒体を前記排出手段に供給する通知手段と
を備えることを特徴とする画像形成装置。
【請求項１０】
前記通知手段は、前記所定の通知が記録された媒体を前記画像形成装置内部に格納する格納手段を有することを特徴とする請求項９に記載の画像形成装置。
【請求項１１】
外部より画像データを受信する受信手段と、
前記排出手段とは別の第２の排出手段を備え、
前記認識手段で原稿の除去が認識されていない状態において、前記受信手段により画像データを受信した場合、当該画像データに対応した画像形成後の記録媒体を前記第２の排出手段にて排出することを特徴とする請求項１から請求項１０までの何れかに記載の画像形成装置。
【発明の詳細な説明】
【技術分野】
【０００１】
本発明は、原稿の取り忘れを防止できる画像形成装置に関するものである。
【背景技術】
【０００２】
従来、画像形成装置において、ユーザに読み取り原稿の取り忘れを報知する方法として、エラー表示による報知が一般的である。また、原稿の取り忘れの際に、所定のモータを継続駆動したり、読み取り原稿が除去されるまで印刷用紙の排出を行わず、読み取り原稿が除去された時点で印刷用紙の排出動作を開始したりする方法が提案されている（例えば、特許文献１参照）。
【特許文献１】特開２００７−３２８２９８号公報
【発明の開示】
【発明が解決しようとする課題】
【０００３】
しかしながら、上記特許文献１の方法では、原稿の除去後に印刷が開始されることから、印刷終了までの時間が大幅に延長されてしまうという欠点あった。
【０００４】
本発明は、上記実情に鑑み、印刷スループットは落とさず、ユーザによる原稿の取り忘れを効果的に防止できる画像形成装置を提供することを目的としている。
【課題を解決するための手段】
【０００５】
すなわち、本発明は、原稿を読み取り、記録媒体上に画像を形成する画像形成装置において、原稿を読み取る読み取り手段と、上記読み取り手段により読み取られた原稿が当該読み取り手段から除去された状態、又は、除去されたと見なせる状態を認識する認識手段と、上記認識手段にて認識された状態により画像形成後の記録媒体の排出を制御する排出手段とを備えることを特徴としている。
【０００６】
また、別の本発明は、原稿を読み取り、記録媒体上に画像を形成する画像形成装置において、原稿を読み取る読み取り手段と、上記読み取り手段により読み取られた原稿が当該読み取り手段から除去された状態、又は、除去されたと見なせる状態を認識する認識手段と、画像形成された上記記録媒体を排出する排出手段と、画像形成された上記記録媒体の排出後に、上記認識手段により原稿の除去が認識されない場合に、除去されていない原稿についての所定の通知を上記記録媒体上に画像形成し、上記排出手段に供給する通知手段とを備えることを特徴としている。
【０００７】
また、更に別の本発明は、原稿を読み取り、記録媒体上に画像を形成する画像形成装置において、原稿を読み取る読み取り手段と、上記読み取り手段により読み取られた原稿が当該読み取り手段から除去された状態、または、除去されたと見なせる状態を認識する認識手段と、画像形成された上記記録媒体を排出する排出手段と、画像形成された上記記録媒体の排出後に、上記認識手段で原稿の除去が認識されない場合に、除去されていない原稿についての所定の通知が記録された媒体を上記排出手段に供給する通知手段とを備えることを特徴としている。
【発明の効果】
【０００８】
本発明によれば、コピー終了後に原稿を取り忘れた場合は、最終用紙が排出途中で停止され、原稿が除去された後に最終用紙が完全に排出されるようにしたので、ユーザは、コピー出力用紙を完全に受け取る前に原稿の取り忘れに気付くことになり、コピー出力用紙を受け取った際のユーザの気の緩みによる原稿の取り忘れを効果的に防止することができる。
【０００９】
また、別の本発明によれば、コピー終了後に原稿を取り忘れた場合は、原稿忘れを知らせる所定の通知が記録媒体上に画像形成され、排出されるようにしたので、ユーザは、コピー出力用紙を受け取る際に、原稿の取り忘れに気付くことになり、ユーザの気の緩みによる原稿の取り忘れを効果的に防止することができる。
【００１０】
更にまた、別の本発明によれば、コピー終了後に原稿を取り忘れた場合に、原稿忘れを知らせる所定の通知が記録された媒体を排出するようにしたので、ユーザは、コピー出力用紙を受け取る際に、原稿の取り忘れに気付くことになり、ユーザの気の緩みによる原稿の取り忘れを効果的に防止することができる。また、上記通知用の媒体は繰り返し利用できるため、経済的である。
【発明を実施するための最良の形態】
【００１１】
以下、図１〜図１８に基づいて本発明の画像形成装置の実施形態を説明する。
図２は、本発明による画像形成装置を示し、プリンタ１００、スキャナ２００、操作パネル３００より構成される。
【００１２】
図４は、上記スキャナ２００の概略構成を示す。スキャナ２００は、図示のように、原稿送り装置２５０と読み取り装置２７０とで構成されている。
【００１３】
原稿送り装置２５０は、原稿２６０が積載される原稿積載部２５１と、この原稿積載部２５１の下方に設けられ、読み取りを終了した原稿２６０が順次積載される排紙部２５２とを備える。原稿積載部２５１の出口付近には、原稿積載部２５１より原稿２６０を繰り出す搬送ロール２５３が配設され、この搬送ロール２５３の原稿搬送方向下流側には、フィードロールとリタードロールを備え、原稿送り装置２５０より繰り出された原稿２６０を一枚ずつに捌いて搬送路２６１上を搬送させる捌き機構２５４が配設されている。また、排紙部２５２の底部には、排紙部２５２における原稿２６０の有無を検出する第１のセンサ２８１が設けられている。
【００１４】
原稿２６０が搬送される搬送路２６１上には、原稿搬送方向上流側から順に、プレレジロール２５５、レジロール２５６、プラテンロール２５７、およびアウトロール２５８等が配設さられている。
プレレジロール２５５は、一枚ずつに捌かれた原稿２６０を下流側に向けて搬送すると共に、原稿２６０のループ形成を行う。レジロール２５６は、回転、停止、回転の動作により、原稿２６０の搬送動作にレジストレーション調整を施しながら下流側に原稿２６０を供給する。プラテンロール２５７は、読み取り装置２７０による原稿２６０の読み込みを補助するために原稿２６０を搬送する。アウトロール２５８は、読み取り装置２７０にて読み込まれた原稿２６０をさらに下流側に搬送する。また、排紙部２５２の入口付近には、アウトロール２５８にて搬送された原稿２６０を排紙部２５２に排出する排出ロール２５９が配設されている。
【００１５】
他方、読み取り装置２７０は、筐体を構成する装置フレーム２７１を有し、この装置フレーム２７１に、上記原稿送り装置２５０が開閉可能に支持される構成となっている。
読み取り装置２７０は、原稿２６０が静止された状態にセットされる第１プラテンガラス２７２ａと、原稿送り装置２５０により搬送される原稿２６０を読み取る光の開口部を有する第２プラテンガラス７２７２ｂとを備えている。また、第１プラテンガラス２７２ａの下方には、第１プラテンガラス２７２ａ上における原稿２６０の有無を検出する第２のセンサ２８２が設けられている。
【００１６】
また、読み取り装置２７０は、第２プラテンガラス２７２ｂの下に静止し、或いは第１プラテンガラス２７２ａの長手方向の全域渡りスキャンして原稿２６０を読み込むフルレートキャリッジ２７３と、このフルレートキャリッジ２７３からの光学像を結像部へ供給するハーフレートキャリッジ２７４とを備えている。
【００１７】
ここで、上記第１のセンサ２８１と第２のセンサ２８２は、例えば、発光素子と受光素子で成るセンサを用いることができる。また、他の例として、例えば、機械的に原稿の有無を検出するものや、上記フルレートキャリッジ２７３を用いてスキャンすることで原稿の有無を検出するものが挙げられる。
また、原稿送り装置２５０の開閉状態をセンサで検出し、原稿送り装置２５０が開放状態の場合に、原稿２６０が除去されたものとすることも可能である。
【００１８】
また、読み取り装置２７０は、フルレートキャリッジ２７３からの光学像を光学的に縮小する結像用レンズ２７８と、結像用レンズ２７８にて結像された光学像を光電変換するＣＣＤ（Ｃｈａｒｇｅ  Ｃｏｕｐｌｅｄ  Ｄｅｖｉｃｅ）イメージセンサ２７９とを備えている。
さらに、読み取り装置２７０は、ＣＣＤイメージセンサ２７９にて得られる画像データに所定の処理を施す制御・画像処理ユニット２８０を備えている。制御・画像処理ユニット２８０にて得られた画像データは、後述するスキャナＩＦ１２０を介してプリンタ１００に出力される。
【００１９】
図５は、操作パネル３００の概略構成を示す。操作パネル３００は、図示のように、液晶表示部３０１、コピー枚数を設定するためのテンキー３０２、用紙のサイズと送り方向を選択するための用紙選択スイッチ３０５、コピー動作を開始するためのスタートスイッチ３０３等を備えている。
【実施例１】
【００２０】
図１は、本発明の実施例１による画像形成装置のブロック構成図である。
プリンタ１００は、図示のように、ＣＰＵ１０１を有し、ＣＰＵ１０１には、ＲＡＭ１０２、プログラムＲＯＭ１０３、スキャナＩＦ１２０、操作パネルＩＦ１３０、記録媒体上に画像形成を行う印刷部４００等が接続されている。スキャナＩＦ１２０には、スキャナ２００が接続され、操作パネルＩＦ１３０には、操作パネル３００が接続されており、これら、スキャナＩＦ１２０と操作パネルＩＦ１３０を介し、ＣＰＵ１０１とこれらデバイスとの間で信号授受が行われるようになっている。各デバイスと印刷部４００の制御は、ＣＰＵ１０１、ＲＡＭ１０２、プログラムＲＯＭ１０３で構成される制御部によって行われる。
さらに、ＣＰＵ１０１には、後述する印刷部４００内の排出装置３６の動作を制御する排出制御部１５０、最終用紙を判定する最終用紙判定部１６０、排出された用紙長を判定するための排出媒体長判定部１７０、原稿が除去されたか否かを判定する原稿除去判定部１８０、外部ネットワーク（図示せず）との接続を行うネットワークＩＦ１４０等が接続されている。
【００２１】
図３は、実施例１による印刷部４００の概略構成図である。
図示のように、本実施例の印刷部４００は、給紙装置３３、転写装置３２、感光装置３０、トナーカートリッジ３４、定着装置３１、排出装置３６、ＬＥＤヘッド３５等で構成されている。
【００２２】
給紙装置３３は、記録媒体（用紙）３７を給紙するための装置であり、給紙カセット３８と出口側の給紙用のローラ３９等で構成され、上述した制御部からの印刷指示により、用紙３７を搬送する。
トナーカートリッジ３４にはトナーが充填されており、感光装置３０内の図示しない現像ローラの回転により、トナーを感光装置３０に供給する。
【００２３】
感光装置３０は、図示しない現像ローラ、帯電ローラ、感光体ドラム等で構成され、スキャナ２００で読み取った画像データに対応するＬＥＤヘッド３５の発光により感光体ドラム上に静電潜像を形成すると共に、トナーカートリッジ３４より供給された現像ローラ上のトナーを帯電ローラにより帯電させ、感光体ドラム上に静電潜像に対応したトナー像を形成する。
尚、カラー印刷用のプリンタの場合は、ブラック（Ｋ）、イエロ（Ｙ）、マゼンタ（Ｍ）、シアン（Ｃ）の各色に対応したそれそれ同じ構成の感光装置３０とトナーカートリッジ３４が記録媒体３７の搬送方向に沿って配設されている。
【００２４】
転写装置３２は、搬送ベルト４０、転写及び搬送に使用されるローラ４１等で構成され、給紙装置３３から搬送された用紙３７を上記感光装置３０に向けて搬送すると共に、感光体ドラム上に形成されたトナー像を用紙３７上に転写する装置である。
【００２５】
定着装置３１は、熱電線が内装された加熱ローラ４２や加熱ローラ４２の温度を検知する温度検出器（図示せず）等で構成され、転写装置３２より搬送された用紙３７上のトナーを熱と加圧により記録媒体３７に定着させる装置である。
【００２６】
定着装置３１により、トナーが定着された用紙３７は、排出センサ１４、排出ローラ１５ａ、１５ｂで構成される排出装置３６を通して、印刷部４００上部の排出部５０に排出される。
排出センサ１４は、排出装置３６を通過する用紙３７を検出し、排出ローラ１５ａ、１５ｂは、図示しないモータの駆動により回転駆動し、用紙３７を搬送する。
尚、排出装置３６の制御（排出ローラ１５ａ、１５ｂの駆動制御）は、上述した排出制御部１５０にて行われる。
【００２７】
次に、実施例１の動作を、図１〜図５に基づき、図６の動作フローチャートを用いて説明する。
【００２８】
尚、以下の制御は、ＣＰＵ１０１、ＲＡＭ１０２、プログラムＲＯＭ１０３で構成される制御部及び排出制御部１５０により行われるものであり、また、本実施例では、読み取り原稿が第１プラテンガラス２７２ａ上にセットされた場合を説明する。
【００２９】
Ｓ１０１にて、ユーザは操作パネル３００の用紙選択スイッチ３０５により用紙のサイズと送り方向を選択し、Ｓ１０２にて、テンキー３０２によりコピー枚数を設定する。尚、コピー枚数や用紙サイズ等の設定情報はＲＡＭ１０２に記憶される。
Ｓ１０３にて、ユーザがスタートスイッチ３０３を操作すると、スキャナＩＦ１２０を介してスキャナ２００に原稿の読み取りの開始が指示され、複写動作が開始される。この際、液晶表示部３０１に、最終用紙の排出が途中で停止する旨、例えば、「最終印刷用紙は読み取り原稿が除去されないと完全に排出されません」といったメッセージが表示される。
【００３０】
複写動作が開始されると、Ｓ１０４にて、フルレートキャリッジ２７３とハーフレートキャリッジ２７４が駆動され、第１プラテンガラス２７２ａ上の原稿２６０の読み取りが行われる。次いで、Ｓ１０５にて、印刷部４００により、原稿の読み取で得られた画像データによる画像が逐次用紙上に形成され、Ｓ１０６にて、画像形成された用紙３７が排出装置３６の動作により装置外部に排出される。
【００３１】
Ｓ１０６における排出処理の実行中、Ｓ１０７にて、排出される用紙が最終用紙であるか否かが最終用紙判定部１６０において判定される。最終用紙の判定は、例えば、排出装置３６内の排出センサ１４にて用紙３７の通過回数をカウントし、このカウント値とＳ１０２にて設定されたコピー枚数とを比較することにより行われる。カウント値とコピー枚数が一致した場合は最終用紙であると判断され、Ｓ１０８に進む。最終用紙でない場合は、Ｓ１０６の排出動作が継続される。
【００３２】
Ｓ１０８にて、排出された用紙の長さが所定長以上であるか否かが排出媒体長判定部１７０において判定される。
ここで、装置外部に排出される用紙の長さは、（センサ通過用紙長）−（排出センサから排出口までの距離）で示される。上記（通過用紙長）とは、排出センサ１４を通過した用紙３７の長さであって、例えば、最終用紙が排出センサ１４を通過している時間をタイマーにて計測し、このタイマー値と搬送速度の乗算にて求めることができる。
ここで、上記排出センサ１４から上記排出装置３６の排出口までの搬送距離を、例えば、１５ｍｍとし、マージンを３０ｍｍとすると、Ｓ１０１でＡ４縦送りが設定された場合は、用紙の縦方向の長は２９７ｍｍであるから、上記所定の長さは、２９７−１５−３０＝２５２ｍｍとなる。
Ｓ１０８にて、装置外部（排出部５０）に排出された用紙の長さが所定の長さ以上（Ａ４の場合は２５２ｍｍ）となるまでＳ１０６による用紙の排出動作が継続される。
【００３３】
次に、Ｓ１０９にて、第２のセンサ２８２の検出信号に基づき、排紙部２５２から原稿２６０が除去されたか否かの判定が原稿除去判定部１８０において行われる。原稿２６０が除去されたと判定された場合は、用紙３７が装置外に完全に排出されるまでＳ１０６の排出動作を継続し、複写動作を終了させる。
また、原稿２６０が除去されていないと判定された場合は、Ｓ１１０にて、排出装置３６の動作を停止し、用紙３７の排出を停止させる。この際、操作パネル３００の液晶表示部３０１には、最終用紙の排出が停止された原因についての情報、例えば、「印刷は終了しましたが、読み取り原稿が残っているため、用紙が完全に排出されませんでした。読み取り原稿を除去して下さい。」といった原稿忘れを通知するメッセージが表示される。
尚、本実施例では、第２のセンサ２８２の出力より原稿除去の有無が判断されるが、この他、例えば、原稿送り装置２５０が読み取り装置２７０に対して開かれている場合に、原稿２６０が除去されたと判断することもできる。
【００３４】
Ｓ１１０にて用紙排出動作が停止された場合は、再度Ｓ１１１にて、再度原稿２６０が除去されたか否かの判定が行われる。この判定は原稿２６０が除去されたと判定されるまで継続される。Ｓ１１１にて、原稿２６０が除去されたと判定された場合は、Ｓ１１２にて、排出装置３６の動作が再開され、用紙３７が装置外に排出された後、複写動作が終了する。この際、液晶表示部３０１の排出が停止した原因についての情報表示はクリアされる。
【００３５】
ここで、Ｓ１１１における原稿除去の繰り返し判定中に、操作パネル３００のスタートスイッチ３０３が操作された場合は、上記判定は中止され、直ちにＳ１１２の排出処理が行われ、再度Ｓ１０３以降の動作が実行される。
また、Ｓ１１１の繰り返し判定中に、ユーザにより最終用紙が排出装置３６の排出口より抜き取られた場合は、液晶表示部３０１に読み取り原稿が除去されていない旨が表示され、直ちに複写動作を終了させる。また、上記繰り返し判定では、所定の時間経過後に、液晶表示部３０１に読み取り原稿が除去されていない旨のみを表示し、残りの用紙の排出動作を行った後、複写動作を終了するようにしても良い。
【００３６】
また、上記の繰り返し判定中に外部ネットワークよりネットワークＩＦ１４０を介して印刷指示があった場合は、読み取り原稿が除去されていない旨が表示され、残りの用紙の排出が行われ、複写動作を終了させる共に、外部ネットワークより入力された画像データに対応した画像形成が行われ、画像形成後の用紙が装置外部に排出される。この場合、外部ネットワークより入力された画像データに対応した印刷用紙の最後の排出処理を途中で停止させることで、ユーザに原稿の除去を促すこともできる。
また、本実施例では、最終用紙出力の排出が途中で止まる旨や、用紙の排出が停止した原因についての情報や、原稿が除去されていない旨等の通知手段として、表示による通知が行われるようにしたが、音声出力部を設けて、音声による通知が行われるように構成しても良い。
【００３７】
以上、実施例１によれば、コピー終了後に原稿が除去されていない場合に、最終用紙の出力を排出途中で停止し、その後、原稿が除去された場合に最終用紙を完全に排出するようにしたので、ユーザは、コピー出力を完全に受け取る前に原稿が除去されていないことに気付くことになり、コピー出力を受け取った際の気の緩みによる原稿の取り忘れを効果的に防止することができる。
【実施例２】
【００３８】
実施例２による印刷部４００は、図７に示すように、実施例１（図３）と同様に給紙装置３３、転写装置３２、感光装置３０、トナーカートリッジ３４、定着装置３１、排出装置３６、ＬＥＤヘッド３５等で構成されるが、排出装置３６が、排出ローラ１５ａ、１５ｂの回転動作を規制するロック装置１２を備えている点が実施例１と相違している。
【００３９】
図８は、上記ロック装置１２の概略構成を示し、図示のように、ロック装置１２は、側壁に螺旋状の刻み５０７が形成された筒状の外枠５０１、ＤＣモータ５０２、周部が上記ＤＣモータ軸に固定され、周部が上記刻み５０７に係合するナット５０３、筒状の外枠５０１の底部に上下動自在に設けられた押し当て部５０６と、ナット５０３と押し当て部５０６の間に介装されたスプリング５０５、ナット５０３と押し当て部５０６の間に介装されたスプリング５０４等で構成されている。
【００４０】
上記構成のロック装置１２では、ＤＣモータ５０２の回転に伴うナット５０３の回転により、ナット５０３が螺旋状の刻み５０７に沿って、ロック装置１２内を上下に移動する。
因みに、図８（ａ）はロック状態であり、図８（ｂ）はロック解除状態である。
また、押し当て部５０６は、スプリング５０４により、排出ローラ１５ａの表面に押し当てられるように付勢され、且つ、スプリング５０５により、押し当て方向と反対方向に付勢されているため、上述したように、ロック装置１２内において、ナット５０３を上下に移動させることで、押し当て部５０６による排出ローラ１５ａへの押し当て力を変化させることができ、これにより、用紙３７が排出装置３６の排出口より抜き取られる際の抵抗力を自在に変えることできる。
【００４１】
尚、上記ロック装置１２として、図８に示す構成の他、ピエゾ素子（電圧により伸縮する素子）を使用したロック装置を使用することができ、また、排出ローラ１５ａの駆動ギア比を機械的に変化させることにより、用紙３７が抜き取られる際の抵抗力を変える構成とすることもできる。
【００４２】
次に、実施例２の動作を、図７に基づき、図９の動作フローチャートを用いて説明する。
尚、以下の制御は、ＣＰＵ１０１、ＲＡＭ１０２、プログラムＲＯＭ１０３で構成される制御部及び排出制御部１５０により行われるものであり、また、本実施例では、読み取り原稿が第１プラテンガラス２７２ａ上にセットされた場合を説明する。
【００４３】
本実施例においては、図９のフローチャートにおけるＳ２０１、Ｓ２１０〜Ｓ２１２を除く動作については、実施例１（図６）と同様であるため、説明を省略する
【００４４】
Ｓ２０１にて、ユーザは、操作パネル３００の用紙選択スイッチ３０５により、用紙のサイズと送り方向と種類を選択する。ここで、種類とは、普通用紙や厚紙、はがき用紙等のことである。以降、Ｓ２０２〜Ｓ２０９までの動作は、実施例１の動作（図６のＳ１０２〜Ｓ１０９）と同様である。
Ｓ２０９の判定にて、原稿２６０が除去されていないと判定された場合には、排出装置３６の動作を停止し、用紙の排出を停止させると共に、上述したロック装置１２により、用紙３７の取り出しがロック（阻止）される（図８（ａ）の状態）。すなわち、押し当て部５０６による用紙３７の排出ローラ１５ａへの押し当て力が強化される。
【００４５】
ここで、用紙３７のロック（押し当て強度）は、Ｓ２０１にて設定された、用紙の種類やサイズや方向により、予め設定された強度で行なわれる。例えば、Ａ４普通紙を縦方向に使用する場合、用紙縦方向の引っ張り強度が１０Ｋｇであったとすると、用紙３７が排出口より抜き取られる際の抵抗力が、例えば７ｋｇになるようなロック強度に設定される。また、使用されるＡ４厚紙の縦方向の引っ張り強度が２０ｋｇであったとすると、用紙が抜き取られる際の抵抗力が、例えば１４Ｋｇになるようなロック強度に設定される。
この際、操作パネル３００の液晶表示部３０１には、排出が停止された原因についての情報、例えば、「印刷は終了しましたが、読み取り原稿が残っているため、用紙が完全に排出されませんでした。読み取り原稿を除去してください」といったメッセージが表示される。
尚、本実施例では、用紙選択スイッチ３０５の設定に基づいてロック強度を変えているが、用紙厚センサや湿度センサを設け、その検出値に基づいてロック強度を変えることも可能である。
【００４６】
Ｓ２１１にて、原稿２６０が除去されたと判定された場合は、ロック装置１２により用紙３７のロックが解除（図８の（ｂ）の状態）される（ロック強度を弱める）と共に、排出装置３６の動作が再開され、用紙３７を装置外に完全に排出して複写動作を終了させる。この際、液晶表示部３０１の排出が停止した原因についての情報表示はクリアされる。
【００４７】
以上、実施例２によれば、原稿が除去されていない場合には、最終用紙を排出途中で停止すると共に、用紙の抜き取りをロック強度可変のロック装置により、ロックするようにしたので、ユーザにより排出途中で停止された用紙が排出口より強引に抜き取られる場合も、適切なロック強度の設定により、ロックされた用紙に破れは生じない。さらに、抜き取られる際の抵抗力を強くすることで、実施例１と同様、ユーザがコピー出力を受け取った際の気の緩みによる原稿の取り忘れを効果的に防止することができる。
尚、この場合、用紙の引っ張りを検出するセンサを設け、ユーザにより用紙が抜き取られた場合に、アラーム音を発したり、液晶表示部３０１のバックライトを点滅させたりしても良い。
【実施例３】
【００４８】
図１０は、実施例３による画像形成装置のブロック構成図である。
プリンタ１００は、図示のように、ＣＰＵ１０１を有し、ＣＰＵ１０１には、ＲＡＭ１０２、プログラムＲＯＭ１０３、スキャナＩＦ１２０、操作パネルＩＦ１３０、用紙上に画像形成を行う印刷部４００が接続されている。スキャナＩＦ１２０には、スキャナ２００が接続され、操作パネルＩＦ１３０には、操作パネル３００が接続されており、これら、スキャナＩＦ１２０と操作パネルＩＦ１３０を介し、ＣＰＵ１０１と各デバイスとの間で信号授受が行われるようになっている。これらデバイスと印刷部４００の制御は、ＣＰＵ１０１、ＲＡＭ１０２、プログラムＲＯＭ１０３で構成される制御部によって行われる。
さらに、ＣＰＵ１０１には、最終用紙を判定する最終用紙判定部１６０、原稿が除去されたか否かを判定する原稿除去判定部１８０、除去されていない原稿について、所定の通知用の画像を生成する通知画像生成部１９０、外部ネットワーク（図示せず）との接続を行うネットワークＩＦ１４０等が接続されている。
印刷部４００の構成は、実施例１（図３）と同様であり、説明は省略する。
【００４９】
次に、実施例３の動作を、図３〜図５、図１０に基づき、図１１の動作フローチャートを用いて説明する。尚、本制御は、ＣＰＵ１０１、ＲＡＭ１０２、プログラムＲＯＭ１０３で構成される制御部及び排出制御部１５０により行われるものであり、また、本実施例では、読み取り原稿が第１プラテンガラス２７２ａ上にセットされた場合を説明する。
【００５０】
Ｓ３０１にて、ユーザは、操作パネル３００のテンキー３０２を操作してコピー枚数を設定し、Ｓ３０２にて、ユーザがスタートスイッチ３０３を操作すると、複写動作が開始される。この際、液晶表示部３０１に、原稿２６０の取り忘れについての注意、例えば、「原稿の取り忘れにご注意下さい」といったメッセージが表示される。
複写動作が開始されると、Ｓ３０３にて、フルレートキャリッジ２７３、ハーフレートキャリッジ２７４が駆動され、第１プラテンガラス２７２ａ上の原稿２６０の読み取りが行われる。原稿読み取り後、Ｓ３０４にて、印刷部４００により、原稿の読み取りにて得られた画像データによる画像が逐次用紙上に形成され、画像形成された用紙３７が排出装置３６の動作により装置外部に排出される。
【００５１】
排出処理の実行中、Ｓ３０５にて、排出される用紙３７が最終用紙であるか否かが最終用紙判定部１６０において判定される。最終用紙判定部１６０における最終用紙の判定動作は、実施例１で述べた通りである。最終用紙であると判定された場合は、排出処理を終了し、次Ｓ３０６に進む。最終用紙でないと判定された場合は、排出動作が継続される。
【００５２】
Ｓ３０６にて、排紙部２５２から原稿が除去されたか否かの判定が原稿除去判定部１８０において行われる。原稿が除去されたと判定された場合は、複写動作を終了させる。原稿が除去されていないと判定された場合は、Ｓ３０７にて、除去されていない原稿について所定の通知用の画像、例えば、「プラテン上に原稿が残っています。取り忘れにご注意下さい」が通知画像生成部１９０において生成され、このメッセージが用紙上に画像形成され、排出される。
尚、この場合、上記メッセージを通常印刷で出力すると、図１２（ａ）に示すように、用紙は、印刷面Ａを下にしたフェイスダウンの状態で排出され、印刷されたメッセージが見えなくなるため、本実施例では、図１２（ｂ）に示すように、印刷部４００の両面機構により、用紙裏面にメッセージを印刷し、排出時に印刷面Ａが上に向くようにして、上記メッセージが即座にユーザの目に止まるようにしている。
【００５３】
以上、実施例３によれば、コピー終了後に原稿が除去されていない場合に、原稿忘れを知らせる所定の通知を用紙上に画像形成し、排出するようにしたので、ユーザは、コピー出力用紙を受け取る前に原稿の取り忘れに気付くことになり、ユーザの気の緩みによる原稿の取り忘れを効果的に防止することができる。
【実施例４】
【００５４】
図１３は、実施例４による画像形成装置のブロック構成図である。
プリンタ１００の構成は、図１０に示す実施例３とほぼ同様であるが、実施例３の通知画像生成部１９０に代え、実施例４では、ＣＰＵ１０１に通知画像排出制御部１１０が接続されている。通知画像排出制御部１１０は、後述する印刷部４００内の通知画像排出装置１３を制御する機能部である。
【００５５】
実施例４による印刷部４００は、図１４に示すように、実施例１（図３）と同様に給紙装置３３、転写装置３２、感光装置３０、トナーカートリッジ３４、定着装置３１、排出装置３６、ＬＥＤヘッド３５等で構成されるが、排出装置３６が、排出センサ１４と、排出ローラ１５ａ、１５ｂの他に、通知画像排出装置１３を備える点が実施例１と相違している。以下に上記通知画像排出装置１３について説明し、その他の構成については説明を省略する。
【００５６】
図１５は、上記通知画像排出装置１３の概略構成を示し、図１５（ａ）に示すように、軸６０２に巻き付けられた通知媒体６０３と、このロール状の通知媒体６０３を収納するロールガイド６０１と、通知媒体６０３を繰り出す繰り出しローラ６０４とで構成されている。上記通知媒体６０３には、予め、原稿除去を促すメッセージが印刷されている。
上記した軸６０２と繰り出しローラ６０４は、図示しないモータにより回転駆動され、図１５（ｂ）に示すように、軸６０２に巻き付けられた通知媒体６０３を、ロールガイド６０１に沿って用紙搬送路４３上に送り出す。送り出された通知媒体６０３は、用紙搬送路４３に沿って搬送され、装置外に排出される。
また、軸６０２と繰り出しローラ６０４を逆回転させることで、装置外部に排出された通知媒体６０３を軸６０２に巻き戻し、再度ロールガイド６０１内に収納することができる。尚、通知媒体６０３は、紙や塩化ビニール等の巻き付け収納可能な材料が使用可能である。
【００５７】
次に、実施例４の動作を、図１３〜図１５に基づき、図１６の動作フローチャートを用いて説明する。尚、以下の制御は、ＣＰＵ１０１、ＲＡＭ１０２、プログラムＲＯＭ１０３で構成される制御部及び排出制御部１５０により行われるものであり、また、本実施例では、読み取り原稿が第１プラテンガラス２７２ａ上にセットされた場合を説明する。
【００５８】
本実施例においては、図１６のフローチャートにおいて、Ｓ４０７〜Ｓ４０９を除く動作については実施例３と同様であるので説明を省略する。
【００５９】
ステップ４０６の判定で、原稿が除去されていないと判定された場合は、Ｓ４０７にて、排出装置３６内の通知画像排出装置１３に収納され、例えば、「原稿が残っています。取り忘れにご注意下さい」といった原稿除去を促すメッセージが印刷された媒体（通知媒体６０３）が排出される。通知媒体６０３が排出された後、Ｓ４０８にて、再度、原稿２６０が除去されたか否か判定が行われる。この判定は、原稿２６０が除去されたと判定されるまで行われる。Ｓ２０８にて原稿２６０が除去されたと判定された場合は、Ｓ４０９にて、排出された上記通知媒体５０３が巻き戻され、通知画像排出装置１３内に収納される。
【００６０】
尚、Ｓ２０８における原稿除去の繰り返し判定中に、操作パネル３００のスタートスイッチ３０３が操作された場合は、上記判定は中止され、Ｓ２０９にて、通知媒体６０３の巻き戻し処理が行われ、再度、Ｓ４０２以降の動作が実行される。
また、上記繰り返し判定中に外部ネットワークより印刷指示があった場合も、上記同様に、Ｓ２０９の処理を行って複写動作を終了すると共に、外部ネットワークより入力された画像データによる画像形成が行われ、画像形成後の用紙３７が装置外部に排出される。
【００６１】
以上、実施例４によれば、コピー終了後に原稿が除去されていない場合は、原稿忘れを知らせる所定の通知を記録した媒体が排出されるようにしたので、実施例３と同様に、ユーザは、コピー出力用紙を受け取る前に原稿の取り忘れに気付くことになり、ユーザの気の緩みによる原稿の取り忘れを効果的に防止することができる。また、上記通知用の媒体は、繰り返し何度でも使用できるため、その都度通知用の用紙を消費する、実施例３の構成に比べて、媒体を無駄にせず経済的である。
【実施例５】
【００６２】
実施例５による印刷部４００は、図１７に示すように、実施例１（図３）と同様に、給紙装置３３、転写装置３２、感光装置３０、トナーカートリッジ３４、定着装置３１、排出装置３６、ＬＥＤヘッド３５、排出装置３６等を備えるが、これらの他に、第２の排出装置４５を備えている。以下に上記第２の排出装置４５について説明し、その他の構成については説明を省略する。
【００６３】
上記第２の排出装置４５は、可動レバーによる搬送切り替え手段１９と用紙排出用の搬送ローラ１３ａ、１３ｂとで構成されており、定着装置３１より搬送された用紙３７は、上記搬送切り換え手段１９にて搬送路が切り換えられることにより、排出装置３６と第２の排出装置４５の何れかに搬送される。
本実施例では、スキャナ２００で読み取られた原稿のコピー出力用紙は、排出装置３６より排出され、外部ネットワークから入力された画像データのコピー出力用紙は、第２の排出装置４５より排出されるようになっている。
【００６４】
次に、実施例５の動作を、図１８の動作フローチャートを用いて説明する。尚、実施例５の動作は、例えば、実施例１の動作フローチャート（図６のＳ１１１）にて、原稿除去の繰り返し判定中に外部ネットワークより印刷指示がなされた場合の動作である。
外部ネットワークより印刷が指示されると、Ｓ５０１にて、印刷動作が開始され、次いで、Ｓ５０２にて、印刷部４００を動作させ、外部ネットワークより入力された画像データに基づいて用紙３７上に逐次画像形成を行い、画像形成後の用紙３７を第２の排出装置４５より排出する。
尚、上記動作は、この他、例えば、実施例２（図９のＳ２１１）、実施例４（図１６のＳ４０８）等にも適用できるものである。
【００６５】
以上、実施例５によれば、原稿読み取り手段により読み取った画像データにより画像形成を行った用紙の排出先と、外部ネットワークより受信した画像データにより画像形成を行った用紙の排出先を切り換え可能としたので、原稿読み取り手段によりコピーを行った用紙と、外部ネットワークより印刷指示して印刷した用紙とが混在する不都合を回避することができ、ユーザが自身以外のコピー出力用紙を間違えて持ち去るといった失敗を防止することができる。
【産業上の利用可能性】
【００６６】
本実施形態では、ＭＰＦ（Ｍｕｌｔｉ  Ｆｕｎｃｔｉｏｎ  Ｐｒｉｎｔｅｒ）への適用を例に説明したが、コピー機等のように、原稿を読み取って記録媒体に印刷する装置であれば適用可能である。
また、本実施形態では、読み取り原稿の除去の有無により用紙の排出動作を制御しているが、印刷認証用のカードの有無により動作を制御するような用途にも適用可能であり、この場合は、原稿を読み取って記録媒体に印刷する装置の他、プリンタやファクシミリ等にも適用可能である。
【図面の簡単な説明】
【００６７】
【図１】実施例１による画像形成装置のブロック構成図である。
【図２】本発明による画像形成装置を示す図である。
【図３】実施例１による印刷部の概略構成図である。
【図４】スキャナの概略構成図である。
【図５】操作パネルの概略構成図である。
【図６】実施例１の動作フローチャートである。
【図７】実施例２による印刷部の概略構成図である。
【図８】ロック装置の概略構成図である。
【図９】実施例２の動作フローチャートである。
【図１０】実施例３による画像形成装置のブロック構成図である。
【図１１】実施例３の動作フローチャートである。
【図１２】通知用画像が印刷された用紙の排出状態を示す説明図である。
【図１３】実施例４による画像形成装置のブロック構成図である。
【図１４】実施例４による印刷部の概略構成図である。
【図１５】通知画像排出装置の概略構成図である。
【図１６】実施例４の動作フローチャートである。
【図１７】実施例５による印刷部の概略構成図である。
【図１８】実施例５の動作フローチャートである。
【符号の説明】
【００６８】
１２  ロック装置（ロック手段）
３６  排出制御部（排出手段）
３７  用紙（記録媒体）
４５  第２の排出装置（第２の排出手段）
１１０  通知画像排出制御部（通知手段）
１４０  ネットワークＩＦ（受信手段）
１８０  原稿除去判定部（認識手段）
１９０  通知画像生成部（通知手段）
２００  スキャナ（読み取り手段）
２６０  原稿
３０１  液晶表示部（通知手段）
６０１  ロールガイド（格納手段）
【図１】
2010066698.tif 000003
【図２】
2010066698.tif 000004
【図３】
2010066698.tif 000005
【図４】
2010066698.tif 000006
【図５】
2010066698.tif 000007
【図６】
2010066698.tif 000008
【図７】
2010066698.tif 000009
【図８】
2010066698.tif 000010
【図９】
2010066698.tif 000011
【図１０】
2010066698.tif 000012
【図１１】
2010066698.tif 000013
【図１２】
2010066698.tif 000014
【図１３】
2010066698.tif 000015
【図１４】
2010066698.tif 000016
【図１５】
2010066698.tif 000017
【図１６】
2010066698.tif 000018
【図１７】
2010066698.tif 000019
【図１８】
2010066698.tif 000020